(57)【要約】      （修正有）【課題】役に立たない廃棄運動エネルギーからポテンシャル・エネルギーを生成するためのトンネル・パワー・タービン・システムを提供する。【解決手段】内部デバイスであるトンネル・パワー・デバイスを囲む大型の本体を備えるシステムである。そして、入口の付いたトンネル・パワー・デバイスのトンネル本体１の周りに建設されるエゼクタ機械３と、このエゼクタ機械３の内側に隠れてトンネル・パワー・デバイスのトンネル本体内に傾斜した角度で組み込まれるエゼクタ機械３のスリット・ベンチュリ５と、デバイスのトンネル本体１の内側に建てられる緩和プレート７と、を備えている。【選択図】図１
2011226482.tif 000002
【特許請求の範囲】
【請求項１】
役に立たない廃棄運動エネルギーからポテンシャル・エネルギーを生成するためのトンネル・パワー・タービン・システムであって、
３つのデバイス、１）トンネル・パワー・デバイス（内部）、２）覆い付き煙突デバイス（外部）、及び温度制御デバイス（外部）を有する、トンネル・パワー・タービン・システム。
【請求項２】
より具体的には、現在は周囲に散逸されている役に立たない廃棄運動エネルギー内に元来存在している巨大なエネルギー生成潜在能力を活性化するようになっている、請求項１に記載のトンネル・パワー・タービン・システム。
【請求項３】
トンネル・パワー・タービン・システムの大型本体（１６）が内部のトンネル・パワー・デバイス（１）〜（１１）を囲み、外部の覆い付き煙突デバイスの入口（１３）及び外部の温度制御デバイスの入口（１４）からの補助エネルギーのための２つの追加の外側入口をさらに有する、請求項１及び請求項２に記載のトンネル・パワー・タービン・システム。
【請求項４】
トンネル開口入口（６）のすぐ上方においてトンネル本体（１）の周りに組み込まれて構築された入口（４）を備えるエゼクタ機械本体（３）と、
前記トンネル本体（１）と一体にされた、前記エゼクタ機械本体（３）の内側に隠れてトンネル通路（２）内に開いているスリット・ベンチュリ（５）と、
トンネルの壁に固定されて垂直に建てられる緩和プレート（７）であって、トンネル通路（２）内において縁部の角度（８）が流れ方向に面している前記緩和プレート（７）と、を備え、
誘導される廃棄運動エネルギーの量及び速度が強化されて、トンネル通路（２）を介して内部デバイスから外へ出て、前記大型の本体のトンネル・パワー・タービン・システム（１６）のチャンバ（１２）内へと入るようになっている、請求項１及び請求項３に記載のトンネル・パワー・タービン・システムのトンネル・パワー・デバイス（内部）。
【請求項５】
覆い付き煙突入口（９）の上方にある大型の半球デバイス（１４）と覆い付き煙突入口の下方にあるファン（１５）とに接続される垂直軸（１３）を有し、任意の方向からの風力（１４）により前記垂直軸（１３）及びファン（１５）が高速で回転されることで、覆い付き煙突の多方向の入口（９）の上方を通る外部の風を吸引する速度が増大されるようになっている、請求項１に記載のトンネル・パワー・タービン・システムの覆い付き煙突デバイス（外部）。
【請求項６】
前記トンネル本体（１）の周りに組み込まれて構築された入口（４）を備えるエゼクタ機械本体（３）と、
前記トンネル本体（１）と一体にされた、エゼクタ機械本体（３）の内側に隠れてトンネル通路（２）内に開いているスリット・ベンチュリ（５）と、を備え、
緩和プレート（７）がトンネルの壁に対して垂直に固定されて建てられており、緩和プレートの角度（８）がトンネル通路（２）内において縁部が流れ方向に面するようになっており、
煙突入口（９）を介して入ってくる風の量及び速度がさらに増大されて、出口（１２）を介して排出されるようになっている、請求項１及び請求項５に記載の覆い付き煙突デバイス。
【請求項７】
（ａ）ラジエータの加熱空気（７５℃）及び（ｂ）排気流（４８４℃）の形態であり、（ａ）と（ｂ）の体積比が約１１．３：１である、発電機から散逸される大量の廃棄運動エネルギーの高温要因を制御する温度制御デバイス（外部）であって、
前記トンネル本体（１）の周りに組み込まれて構築された入口（４）を備えるエゼクタ機械本体（３）をやはり有し、前記トンネル本体（１）と一体にされるスリット・ベンチュリ（５）が、エゼクタ機械本体（３）の内側に隠れてトンネル通路（２）内に開いており、
高温のラジエータ空気及び煙道が入口（４）を介してエゼクタ機械本体（３）内に誘導され、トンネル通路（２）内のベンチュリ（５）を介して自己排出され、渦（１０）が形成されて真空（１１）が発生し、
冷たい空気が入口（６）を介して吸引されて、各ケーシング（１）、（８）、（９）及び（１２）の上部にあるベンチュリ出口（１３）を介してやはり自己排出され、
前記デバイスの各ステージにおいて吸引用入口（１６）を介して多くの冷たい空気が吸引されて温度が低下し、混合気の量及び速度が増大され、最終的に出口（１７）を介して排出されるようになっている、請求項１に記載のトンネル・パワー・タービン・システムの温度制御デバイス。
【請求項８】
複数のケーシング（１）、（８）、（９）及び（１２）を有する温度制御デバイスであって、大きいケーシングが小さいケーシングを順番に囲んでおり、２つのケーシングの本体空間の間で、複数の垂直な小板（１５）が、内側にある小さいそれぞれのケーシング本体の周りを正確な幅で傾斜して外側から囲んでおり、それにより、前記外側の大きいケーシング本体と前記内側の小さいケーシング本体との間に一定の空間が形成され、各ケーシング（１）、（８）、（９）及び（１２）が分離されて定位置で保持され、さらに、前記外側の大きいケーシングと内側の小さいケーシングとの間に複数の傾斜した通路が形成され、それらを介して冷たい空気が外側の次のケーシングの基部内へと吸引され、前記小板が、前記内側の小さいケーシング本体から２つの小板間を通過する冷たい空気へと熱を伝達させるヒート・シンクとして機能し、前記冷たい空気が小板からさらには内側のケーシング本体からも熱を吸収して浮揚性を有するようになり、覆い付き空気入口を介して速い速度で次のステージの基部内へと吸引され、各ケーシングが、各ケーシング本体の上部にベンチュリ出口（１３）を有し、さらに、各ケーシングの基部のところに空気吸引用入口（１６）を有する、請求項７に記載の温度制御デバイス。
【請求項９】
トンネル・パワー・タービン・システムの大型本体（１６）がトンネル・パワー・タービン・デバイス（１）〜（１１）を囲み、そのトンネル通路（２）がトンネル・パワー・タービン・システム（１６）のチャンバ（１２）内に開いており、チャンバ（１２）が、さらに、２つの分離した外側入口（１３）及び（１４）を通して、すなわち（ａ）入口（１３）を介した覆い付き煙突デバイス及び（ｂ）入口（１４）を介した温度制御デバイスを通して、追加の補助の廃棄運動エネルギーを受け取り、前記システム（１６）のチャンバ（１２）内において、トンネル（２）、入口（１３）及び入口（１４）から入ってくる３つの廃棄運動エネルギーがすべて併合され、このようにして得られるチャンバ（１２）内の廃棄運動エネルギーの量及び速度圧が全体として増大されるようになっている、請求項１から請求項８までのいずれか一項に記載のトンネル・パワー・タービン・システム。
【請求項１０】
請求項９に記載のトンネル・パワー・タービン・システムであって、より具体的には、システム（１６）のチャンバ（１２）内で併合される、トンネル（２）、入口（１３）及び入口（１４）からの廃棄運動エネルギーが流れを低速から高速へと加速させ、
静圧により、従来の風力タービン・ファームのように速度圧が散逸したり失われたりすることが確実に防止されるが、トンネル内に囲まれた発電機のファン・ブレード（１５）に最大の速度圧が作用し、
燃料を使用することなく潜在するキロワット時（ＫＷｈ）が生成され、汚染物質を含まず且つ温度が上昇することなく周囲に散逸され、必要に応じて発電能力を強化するために再利用／再使用される速度圧が依然として存在するようになっている、トンネル・パワー・タービン・システム。
【請求項１１】
速度圧下で入口（４）を介してエゼクタ機械本体（３）に誘導される役に立たない廃棄運動エネルギーが、エゼクタ機械本体（３）の内側に隠れたトンネル本体（１）に組み入れられた傾斜した角度のスリット・ベンチュリ（５）を介してトンネル通路（２）内へと自己排出され、
それにより、スリット・ベンチュリ出口（５）の上方に渦（１０）が形成されさらにスリット・ベンチュリ（５）の下方に真空（１１）が発生し、使用可能である又は必要とされる低圧の廃棄運動エネルギー又は外部の風／空気が入口（６）を介してより多く吸引され、
それにより、量が増大した廃棄運動エネルギーの流れが低速から高速へと加速され、トンネル・パワー・タービン・システムのエネルギー生成潜在能力が上がるようになっている、請求項４、請求項６及び請求項７に記載のトンネル・パワー・タービン・システム。
【請求項１２】
トンネル通路（２）の内側に構築される緩和システムをさらに含み、前記緩和システムが、渦の回転運動を直線運動へと効果的に変化させて、誘導された廃棄運動エネルギー及び入口を介して吸引された空気及び風の直線速度を増大させ、
回転運動する渦の軸流が渦の螺旋の大きさ（長さ）のみによって決定され、この螺旋の大きさが、スリット・ベンチュリ（５）の傾斜スロープ（５／ａ）上に仕切り（５／ｂ）を配置することで水平な吹き出し口の角度を変化させることによって拡大／縮小され、それにより吹き出し口の流れの角度が変化され、
渦の螺旋の大きさ（長さ）が拡大／縮小されることで、直線運動する軸流が影響を受けるようになっている、請求項１、請求項４及び請求項６に記載のトンネル・パワー・タービン・システム。
【請求項１３】
請求項１から請求項１２までのいずれか一項に記載のトンネル・パワー・タービン・システムであって、より具体的には、役に立たない廃棄運動エネルギーが周囲に散逸されずに捕集されて蓄積され、外部の空気を補充することにより、
ポテンシャル・エネルギーを生成するために低速から高速の速度圧の運動エネルギーへと変化され、システムの仕組みにより、旧来の建築構造物に組み込まれている、ダクト、ファン、送風機などを使用するすべての熱放出源から役に立たない廃棄運動エネルギーが収集され、前記システムが個別に設計及び完成されてその建築構造物内に設置されるが、
新しい建物を建築する場合には、すべての熱放出源からの熱を自動で誘導して収集するようなデザインが採用されて組み込まれ／一体化され、さらに、ヒート・シンク材が屋根／壁に設置され、太陽熱が最大限に収集されてダクト又は内蔵ダクトへと移送され、前記ダクトを通って流れる空気が加熱／膨張されてより多くの潜在的なエネルギー運動量が得られるようになっている、トンネル・パワー・タービン・システム。
【請求項１４】
任意の方向から外部の風を捕集する覆い付き煙突デバイスが、外部の風を任意の方向から捕集するために、３つ又は４つの統合された、等しい別個の覆い付き入口（９）を有し、中央の結合位置の覆い内に開口部（１３／ａ）を形成しており、
この開口部を通って垂直軸（１３）が挿通して、覆い付き煙突入口の上方の大型の半球の風力機構デバイス（１４）と覆い付き煙突入口の下方のファン（１５）とを接続しており、
任意の方向からの風力により垂直軸（１３）及び覆い付き煙突入口の下方のファン（１５）が高速で回転され、取り込まれる外部の風が増大して空気の移動速度が上がり、速度圧が加速されることで、風の方向に面していない別の覆い付き煙突の多方向の入口を通して大量の外部の風が吸引されるようになっている、請求項１及び請求項６に記載のトンネル・パワー・タービン・システム。
【請求項１５】
トンネルの静圧がトンネルの壁に等しく作用し、速度又は方向に関係なく、廃棄運動エネルギー／外部の空気がトンネル内を移動して流れるための通路が画定され、
前記トンネルの静圧により、その構造自体が空気／風の流れを妨害しさらにタービン・ブレードに背圧を作用させるような従来の風力タービン・ファーム内のように速度圧が散逸したり失われたりすることが確実に防止され、
トンネル内のトンネル静圧が廃棄運動エネルギー／外部の空気を一方向に導いて、発電機のファン・ブレードに最大の速度圧を作用させて背圧を排除し、それにより最大の潜在的発電能力が得られ、主要な風速の３乗の因子の効率が、風力タービン・ファームでの２０％から、トンネル・パワー・タービン・システムでの９５％＋の発電効率要素へと変わるようになっている、請求項１から請求項１４までのいずれか一項に記載のトンネル・パワー・タービン・システム。
【請求項１６】
隠れたスリット・ベンチュリと緩和システムとを中に備える機械本体を有する請求項１、請求項４、請求項５及び請求項８に記載のトンネル・パワー・タービン・デバイス（Ｉ）と、
外部の高速回転軸と隠れたスリット・ベンチュリ及び緩和システムを中に備える機械本体とを有する覆い付き煙突（ＩＩ）と、
役に立たない廃棄運動エネルギーからポテンシャル・エネルギーを生成するために変換するときに個別に又は集合的に必要とされ、周囲温度の上昇及び汚染物質の増加のない温度制御デバイス（ＩＩＩ）と、を備えるトンネル・パワー・タービン・システム。
【請求項１７】
請求項１から請求項１６までのいずれか一項により上で参照した、トンネル・パワー・タービン・デバイス（Ｉ）と、覆い付き煙突デバイス（ＩＩ）と、温度制御デバイス（ＩＩＩ）とを有するトンネル・パワー・タービン・デバイスであって、
添付図面の図２及び図４を含み、図１、図３及び図５を上で参照して個別に示されたように実質的に動作するように、設計、建造、構成及び適合されるトンネル・パワー・タービン・システム。
【発明の詳細な説明】
【技術分野】
【０００１】
（廃棄運動エネルギーの供給源）：“ヒート・アイランド”は大規模な廃棄運動エネルギー（ＷＡＳＴＥ  ＫＩＮＥＴＩＣ  ＥＮＥＲＧＹ）の供給源であり、高層建築住宅（台所、家庭用器具、エア・コンディショナー、発電機など）、商業活動、製造業、発電所など（熱、高温のラジエータ空気、及び煙道などが存在するあらゆる場所）では、役に立たない廃棄運動エネルギーが簡単に空気中に散逸され、さらに高層建築構造物は、太陽、工業用排気ガス、及び集中した交通の排気ガスからの熱を吸収して保持し、大きな町ほど“ヒート・アイランド”は大きくなる。人が作った一構造物、ブルジュ・ハリファ（Ｂｕｒｊ  Ｋｈａｌｉｆａ）（ドバイ、世界一の高さ、１６０階、８２８メートル（２，７１７フィート）の高さ）から巨大な廃棄運動エネルギーが空気／風へと排出／散逸されることを想像されたい。
【０００２】
本発明は、役に立たない廃棄運動エネルギーから生成されるポテンシャル・エネルギー（ＰＯＴＥＮＴＩＡＬ  ＥＮＥＲＧＹ）に関し、この役に立たない廃棄運動エネルギーは、潜在状態からポテンシャル・エネルギーへと変化するように、刺激、活性化、誘因及び促進される。
【背景技術】
【０００３】
以下のような従来技術の公知の科学原理が、潜在状態にある廃棄運動エネルギーからポテンシャル・エネルギーを生成する新規システムの発明に統合、融合及び採用される。これにより、機能及び目的の新しい局面がもたらされ、システムの効率が何倍にも増大される。
【０００４】
１：“風力タービン・ファーム”：
（ａ）風力タービンによる発電（Ｗｉｎｄ  Ｔｕｒｂｉｎｅｓ  Ｐｏｗｅｒ  Ｇｅｎｅｒａｔｉｏｎ）で採用される基本的原理によると、風速が２０％増大されると、発生する動力が７３％増大されるが、温度及び高度が上がるにつれて空気密度は減少する。「発電の主要因子は風速の３乗である。」
（ｂ）風車は、それ自体の構造により風の流れが妨害されるため、１００％の効率で作動することはできない。この構造はまた、タービン・ブレードがエアフォイル（飛行機の翼）のように機能するときにタービン・ブレードに背圧を作用させるため、風力タービンの平均の効率は約２０％である。
（ｃ）風の運動エネルギーの基本原理によると、得られる“Ｐ”（動力  ＫＷ）は、“Ｐ”＝１／２ｐＡＶ３、すなわち、０．５×ｐ（質量  Ｋｇ／ｍ２）×Ａ（ファン面積  平方メートル）×Ｖ３（速度  メートル毎秒３）＝ＫＷである。
【０００５】
２：“熱気球”：空気圧は温度が上昇するにつれて増加する。熱空気は冷たい空気より密度が低く、したがって浮揚性を有することから、上昇して、持ち上げるための垂直圧力を作用させる。
【０００６】
３：“垂直な風洞”：「室内スカイダイビング」は、垂直方向に発生する風の力を介して人間が空中を飛ぶのを可能にする。トンネル（風洞）の基本的原理は、静圧として知られる第２の圧力が、ダクト／トンネル／パイプ内に常に存在し、速度又はその移動方向に関係なく、導管のすべての側面に等しく作用することである。
【０００７】
４：“ウィンド・ホッパ（ＷＩＮＤ  ＨＯＰＰＥＲ）”：１９８５年１１月３０日に出願されたパキスタン特許第１２８７６４号明細書においてＭｕｊｅｅｂ  Ｒ．  Ａｌｖｉが開示した、発電用の外部風の捕捉（Ｃａｐｔｕｒｅｓ  ＥＸＴＥＲＮＡＬ  ＷＩＮＤ  ｆｏｒ  Ｐｏｗｅｒ  Ｇｅｎｅｒａｔｉｏｎ）は一般に知られているが、これは、本発明の方式でその機能を実行するものではない。
【先行技術文献】
【特許文献】
【０００８】
【特許文献１】パキスタン特許第１２８７６４号明細書
【発明の概要】
【課題を解決するための手段】
【０００９】
本発明は、以下のような複数の理由から、再生可能エネルギーを生成するための従来の風車又はコジェネレーション・システムとは大きく異なる。
ａ）従来の風力タービン・ファームでは、タービン・タワーは非常に高く（８０メートル以上）且つ非常に重く（各々が４５０トン以上）、最大で３ＭＷのエネルギーを生成するが、本発明は、巨大で非常に重く高いタワーを使用せず、製造、組立て、移送及び設置をより困難にするといった物流（ロジスティックス）の問題を排除する。
ｂ）従来のウィンド・ファームの平均効率は２０％と低い。その理由は、構造自体が風の流れを妨害しさらにタービン・ブレードに背圧を作用させるからであるが、一方本発明はこのような妨害がなく、効率は９５＋％（９５％超）である。
ｃ）従来の風車では、発電は、非常に変化しやすい要因である非常に不安定な風の速度及び向きに依存する。一方本発明は、静圧（トンネル）のために、管理、制御及び調節することのできる向き及び速度の一貫性をシステムにもたらすことができるという追加の利点を有する。
ｄ）コジェネレーション・システムでは、煙道の熱が、より多くの動力を生成するためにボイラー内で蒸気を発生させるのに使用され、さらに循環させるために水を加熱するが、その後、開口部分の後の吐き出し煙道において、熱は単に役に立たない廃棄エネルギーとして周囲に散逸される。
【００１０】
（革新的な特徴）
「廃棄運動エネルギーからポテンシャル・エネルギーを生成する」ための「トンネル・パワー・タービン・システム」；このシステムは以下の新規の特徴を有する。
１．“トンネル・パワー・タービン”は、燃料を使用することなく又は環境を汚染することなく又は温室効果ガス（炭素）の放出を増加させることなく、ポテンシャル・エネルギーを生成するために、潜在状態から役に立たない“廃棄運動エネルギー”を刺激、活性化、誘因及び促進する世界で唯一のシステムである。
２．ポテンシャル・エネルギーを生成するための“トンネル・パワー・タービン”システムは、役に立たない廃棄運動エネルギーが大量に生成され且つより多くのエネルギーが必要とされるような場所に設置される。
３．“トンネル・パワー・タービン”は、別の異なるシステムが個別に動作する際に従う、下記の既知の科学原理のすべてを包含して組み込む世界で唯一のシステムである。
（ａ）“風力タービン・ファーム”：「発電の主要因子は風速の３乗である。」
（ｂ）“熱気球”：「熱空気は冷たい空気より密度が低く、したがって浮揚性を有することから、上昇して、持ち上げるための垂直圧力を作用させる。」
（ｃ）“垂直な風洞”：「静圧として知られる第２の圧力がダクト／トンネル／パイプ内に常に存在し、速度又はその移動方向に関係なく、導管のすべての側面に等しく作用する。」
（ｄ）“ウィンド・ホッパ”：、１９８５年１１月３０日に出願されたパキスタン特許第１２８７６４号明細書、「発電用の外部風の捕捉（Ｃａｐｔｕｒｅｓ  ＥＸＴＥＲＮＡＬ  ＷＩＮＤ  ｆｏｒ  Ｐｏｗｅｒ  Ｇｅｎｅｒａｔｉｏｎ）。」
４．役に立たない廃棄運動エネルギーからポテンシャル・エネルギーを生成するための“トンネル・パワー・タービン・システム”の３つのデバイスは、（Ｉ）“トンネル・パワー・デバイス”（内部デバイス）、（ＩＩ）“蓋い（シュラウド）付き煙突（ファンネル）デバイス”（外部デバイス）、及び（ＩＩＩ）“温度制御デバイス”（外部デバイス）であり、類似するエゼクタ機構を有している。一方、２つの構成要素：（Ｉ）“トンネル・パワー・デバイス”及び（ＩＩ）“蓋い付き煙突デバイス”は、さらに類似する緩和（ＤＥＦＵＳＥＲ）機構を有し、それぞれのデバイスの機能／動作は以下の通りである。
（ｉ）３つのすべてのデバイスにあるエゼクタ機械本体は同一のものである。この機械本体は入口を有し、トンネル本体の周りに構築されて組み込まれる。機械本体の内側に隠れるスリット・ベンチュリを形成するために、傾斜した角度でトンネル本体の円周部分にスリットが入れられ、このスリットはトンネル通路内へと開いている。機械本体の入口を介して、圧力下で役に立たない廃棄運動エネルギーが誘導され、速度圧によりスリット・ベンチュリを介して傾斜した角度でトンネル通路内へと自己排出され、それにより、スリット・ベンチュリ出口の上方に渦が形成されてスリット・ベンチュリ出口の下方が真空となり、必要に応じてより多くの低圧の役に立たない廃棄運動エネルギー又は外部空気が、その下方に開いているトンネル通路を介して吸引される。異なるのは流れの方向のみである。図１、図３及び図５参照。
（ｉｉ）緩和機構；“温度制御デバイス”を除く２つのデバイスでは、プレートが、トンネル通路の壁に対して固定されて垂直に建てられており、このプレートの縁部は流れ方向に直面する角度であり、それにより渦の回転運動を直線運動へと効果的に変化させ、トンネル通路内部での直線の速度圧を増大させる。図１及び図３参照。
（ｉｉｉ）第２のデバイスである“蓋い付き煙突”は追加の特徴を有する。この追加の特徴は、“蓋い付き煙突の入口”の上方にある大型の半球デバイスと“蓋い付き煙突の入口”の下方にあるファンとに接続された垂直軸に適合される。そして、任意の方向からの風力により軸及びファンが高速で回転され、蓋い付き煙突のすべての入口を介して外部の風を吸引するための運動及び圧力が大幅に強化される。図３及び図４参照。
５．第３のデバイスである“温度制御デバイス”は複数のケーシング／ステージを有し、高温要素の混合｛ラジエータの加熱空気（７５℃）＋排気流（ＥＸＨＡＵＳＴ  ＦＬＵＥ）（４８４℃）｝を適切な安全レベルまで軽減するために各ステージで冷たい空気を誘導する。それにより、ポテンシャル・エネルギーを生成するために“トンネル・パワー・タービン”システムに取り込まれる廃棄運動エネルギーの出力混合気の量及び速度圧が大幅に増大される。図１及び図５参照。
【図面の簡単な説明】
【００１１】
【図１】役に立たない廃棄運動エネルギーからポテンシャル・エネルギーを生成するためのトンネル・パワー・タービン・システムの中心である本発明を示す斜視図である。内部デバイスである“トンネル・パワー・デバイス”を囲む“トンネル・パワー・タービン・システム”の大型の本体を示しており、この内部デバイスは、トンネル本体の周りに作られてトンネル本体の周りに組み込まれるエゼクタ機械本体を有し、ここでは、スリット・ベンチュリの出口が、トンネル本体の通路内へと開いている機械本体の内側に隠れるトンネル本体に統合されており、緩和システムがトンネル通路の内側に作られている（建てられている）。“トンネル・パワー・タービン・システム”の大型の本体は、補助のエネルギーとして（１）蓋い付き煙突デバイスから（廃棄運動エネルギー＋外部空気）及び（２）温度制御デバイスから（高温のラジエータ空気＋煙道＋冷たい空気の混合気）、を受けるためにさらに２つの外側入口を有している。３つのデバイスからのすべてのエネルギーが“トンネル・パワー・タービン・システム”の大型のチャンバ内で統合され、その量及び速度圧が増大され、発電機を駆動する。発電機は、システムの脆弱な構造の上に大型で重い発電機が積載されるのを避けるのに適切な場所に据え付けられる。
【図２】エゼクタ・機械本体の内側に隠れるトンネル・本体の円周上に傾斜した角度で作られたスリット・ベンチュリ出口を示す概略的な断面図であり、スリット・ベンチュリの傾斜したスロープ（ａｎｇｌｅ  ＳＬＯＰＥ）を示しており、必要とされる場合に、必要とされるときに必要とされる場所で渦の螺旋の大きさを調節するための仕切りがある角度で固定されている。
【図３】第２の外部デバイスである“蓋い付き煙突”を示す斜視図であり、スリット・ベンチュリ出口及び緩和システムが中に隠れている類似するエゼクタ機械を示している。“蓋い付き煙突”は追加の特徴を有し、“煙突入口”の上方にある大型の半球デバイスと“煙突入口”の下方にあるファンとに接続された垂直軸を有する。
【図４】垂直の駆動軸が通過しており且つ“煙突入口”の上方にある半球デバイスと“煙突入口”の下方にあるファンとを接続させている、蓋い付き煙突の中心位置を示す概略的な断面図である。
【図５】第３の外部デバイスである“温度制御デバイス”を示す斜視図であり、エゼクタ機械と、各ステージに出口及び入口を備える複数のケーシング及びステージを有する中に隠れたスリット・ベンチュリとを示している。
【発明を実施するための形態】
【００１２】
本発明の特徴、目的及び利点は、以下の添付図面の詳細な説明から完全に理解されよう。
【００１３】
図１は、役に立たない廃棄運動エネルギーからポテンシャル・エネルギーを生成するための中心である“トンネル・パワー・タービン・システム”を示す本発明の斜視図である。
【００１４】
廃棄運動エネルギー（気体）は浮揚性を有し、したがって上昇して垂直圧力を作用させることから、より良好に機能するように“トンネル・パワー・タービン・システム”１６が垂直に建てられており、システムの大型の本体１６が内部デバイスである“トンネル・パワー・デバイス１〜１１を覆っている。ここでは、デバイス１が、入口４を備えたトンネル本体１の周りに構築されて組み込まれるエゼクタ機械３を有し、圧力下にある役に立たない廃棄運動エネルギーが入口４を通して機械本体３内に誘導される。ここでは、廃棄運動エネルギーは、速度圧が大きくなることで、傾斜した角度で内部に隠れたスリット・ベンチュリ５からトンネル通路２内へと自己排出される。また、スリット・ベンチュリ出口５の上方に渦１０が形成されてトンネル通路２内のスリット・ベンチュリ出口５の下方が真空１１となり、トンネル通路２の基部のところにあるトンネルの蓋い付き開口入口９を介してより多くの廃棄運動エネルギー６が吸引される。ここでは、緩和プレート７がトンネル通路の壁に対して固定されて垂直に建てられており、プレートの角度８は縁部が流れ方向に面するようになっており、渦の回転運動が直線運動へと変化され、システムの大型本体１６のチャンバ１２に入る直線速度が増大される。ここでは、外部エネルギー、すなわち、（ａ）廃棄運動エネルギー＋外部デバイス（蓋い付き煙突デバイス）からの入口１３を通じた外部空気、及び、（ｂ）高温のラジエータ空気＋煙道＋外部デバイス（温度制御デバイス）からの入口１４を通じた冷たい混合空気、を受けるための２つの追加の外側入口が存在する。そして、３つのデバイスからの、すなわちトンネル２、入口１３及び入口１４からの役に立たない廃棄運動エネルギーはすべてシステムの大型本体１６のチャンバ１２内で統合され、それにより廃棄運動エネルギーの量及び速度圧が増大され、発電機１５を駆動する。発電機１５は、システムの脆弱な構造の上に大型で重い発電機が積載されるのを避けるのに適切な場所に据え付けられる。
【００１５】
図２は、エゼクタ機械本体３の内側に隠れたスリット・ベンチュリ５の断面図であり、ある角度で仕切り５／ｂが固定されているスリット・ベンチュリ・スロープ５／ａにより、必要とされる場合に、必要とされる場所で必要とされるときに渦１０の螺旋の大きさが調節される。
【００１６】
図３は、図１と同様のエゼクタ機械本体及び緩和プレート（デフューザ）を有する第２の外部デバイス（“蓋い付き煙突デバイス”）を示す、本発明の斜視図である。この図は、“蓋い付き煙突入口”の下方にあるファンに接続された、蓋い付き煙突入口の上方にある垂直軸上に固定される半球のデバイスの追加の特徴を示している。
【００１７】
トンネル本体１では、入口４を備えるエゼクタ機械本体３がトンネル本体１の周りに構築されてトンネル本体１に組み込まれており、入口４を通じて圧力下にある廃棄運動エネルギーが機械本体３内に誘導され、廃棄運動エネルギーは、高い速度圧により、トンネル通路２内に開いているスリット・ベンチュリ５を介して自己排出され、スリット・ベンチュリ出口５の下方に渦１０が形成されてトンネル通路２内のスリット・ベンチュリ出口５の上方が真空１１となり、上方にある蓋い付き入口９を介してより多くの外部空気６が吸引される。緩和プレート７がトンネル通路の壁に対して固定されて垂直に建てられており、プレートの角度８は縁部が流れ方向に直面するようになっており、渦の回転運動が直線運動へと変化され、吹き出し口１２へ向かう混合気の直線速度が増大される。“蓋い付き煙突”９の追加の特徴は、異なる方向を向いている３つ又は４つの統合された“入口”を有することである（図４）。垂直の駆動軸１３が入口１３／ａの統合された中間位置を通過している（図４）。駆動軸１３は、“蓋い付き煙突入口”９の上方にある半球カップ・デバイス１４（図３）と“蓋い付き煙突入口”９の下方にあるファン１５（図４）とを接続させる。任意の方向からの風力により半球カップ・デバイス１４が回転され、それにより下方にあるファン１５が高速で回転され、蓋い付き煙突入口を介して吸引される外部の風６の速度が大幅に増大される（図３）。
【００１８】
図４は、“蓋い付き煙突入口”を示す断面図であり、この図は、３つ又は４つの統合された、別個の等しい空気入口９を有する蓋い付き煙突と、蓋い付き煙突入口１３／ａの中央位置を通過する垂直の駆動軸１４とを示している（図４）。
【００１９】
図５は、スリット・ベンチュリが中に隠れた同様のエゼクタ機械を有する第３の外部デバイス（“温度制御デバイス”）を示す、本発明の斜視図である。この第３の外部デバイスはさらに、互いの上に配置される、各ステージにスリット・ベンチュリ出口と空気入口とを備える複数のケーシングを有する。
【００２０】
トンネル本体１はデバイスの第１のケーシング・ステージであり、トンネル本体１の周りに、入口４を備えるエゼクタ機械本体３が構築されてトンネル本体１に組み込まれており、入口４を介して、速度圧下で高温の組み合わせ｛ラジエータの加熱空気（７５℃）＋排気流（４８４℃）｝が機械本体３内へと誘導される。その組み合わせは、機械本体３の内側に隠れたトンネル本体に組み込まれたスリット・ベンチュリ５を介してトンネル通路２内へと自己排出される。それにより、スリット・ベンチュリ出口５の上方のトンネル通路２内で渦１０が形成されてトンネル通路２内のスリット・ベンチュリ出口５の下方が真空１１となり、下方にある入口７を介して外部空気６が吸引される。第２のケーシング・ステージ８、第３のケーシング・ステージ９及び最後のケーシング・ステージ１２は、互いの上に配置されるデバイスのケーシング・ステージであり、デバイスの各ケーシングは出口スリット・ベンチュリ１３を有する。デバイスの各ケーシングは蓋い付き空気入口１４を有する。小板１５が、冷却空気入口通路１６及び混合気出口１７のために、デバイスの各ケーシング間の通路を分離し、定位置に保持して形作っている。
【００２１】
理解しやすいように、３つのすべてのデバイス内のエゼクタ機械３のシステムは類似しており、したがって部品の番号は同じである。同様に、２つの構成要素内の緩和プレート７及び８のシステムも同一であり、したがって部品の番号も同じである。
【符号の説明】
【００２２】
１  トンネル本体
２  トンネル通路
３  エゼクタ機械
４、１３、１４  入口
５  スリット・ベンチュリ
６  廃棄運動エネルギー
７  緩和プレート
８  プレートの角度
９  トンネルの蓋い付き開口入口
１０  渦
１１  真空
１２  チャンバ
１５  発電機
１６  システムの大型本体
【図１】
2011226482.tif 000003
【図２】
2011226482.tif 000004
【図３】
2011226482.tif 000005
【図４】
2011226482.tif 000006
【図５】
2011226482.tif 000007
【外国語明細書】
2011226482000001.pdf